(57)【要約】      （修正有）【課題】薄型化の要求及び装設の自動化に適するコネクタの構造を提供する。【解決手段】コネクタ１の構造は、絶縁ハウジング２及び絶縁ハウジング２に装設される複数端子３を備え、各端子３は一体で湾曲される溶接端３０と、接触端３１と、溶接端３０と接触端３１とを接続する接続端３２とを有する。これらの端子３の溶接端３０は回路基板上の既定の電気信号伝送位置に接続され、接続端３２は異なる方向の複数の湾曲を有し、これらの接触端３１同士の間の間隔はこれらの溶接端３０同士の間の間隔より大きく形成される。これにより、溶接端３０は小さい間隔で回路基板に電気信号を接続させ、接触端３１は大きい間隔でバット接続子に電気信号を接触させ、コネクタ１が応用される製品の自動装設の効果が達成される。【選択図】図１
0003210694.tif 000002
【実用新案登録請求の範囲】
【請求項１】
回路基板に電気信号が接続され、且つ
絶縁ハウジングと、前記絶縁ハウジングに装設される複数端子であって、各端子は一体に湾曲される溶接端と、接触端と、前記溶接端と接触端とを接続する接続端とを備えるコネクタの構造であって、
これらの前記端子の溶接端は前記回路基板上の既定の電気信号伝送位置に接続され、前記接続端は異なる方向の複数の湾曲を有し、これらの前記接触端同士の間の間隔はこれらの前記溶接端同士の間の間隔より大きく形成され、これにより溶接端は小さい間隔で回路基板に電気信号を接続させ、接触端は大きい間隔でバット接続子に電気信号を接触させることにより、コネクタが応用される製品の自動装設の効果が達成されることを特徴とするコネクタの構造。
【請求項２】
これらの前記溶接端同士の間の間隔は等間隔であることを特徴とする請求項１に記載のコネクタの構造。
【請求項３】
これらの前記溶接端同士の間の間隔は不等間隔であることを特徴とする請求項１に記載のコネクタの構造。
【請求項４】
これらの前記接触端同士の間の間隔は等間隔であることを特徴とする請求項１に記載のコネクタの構造。
【請求項５】
これらの前記接触端同士の間の間隔は不等間隔であることを特徴とする請求項１に記載のコネクタの構造。
【請求項６】
各端子の溶接端は端子線の幅の面積が狭い一側が水平に沿って延伸されることを特徴とする請求項１に記載のコネクタの構造。
【請求項７】
各端子の溶接端は平行に並列されることを特徴とする請求項６に記載のコネクタの構造。
【請求項８】
前記溶接端と接触端とを接続する接続端は、少なくとも前記接触端まで湾曲されると端子線の幅の面積が広い一側に呈することにより、バット接続子と接触しやすくなることを特徴とする請求項６に記載のコネクタの構造。
【請求項９】
各端子の接触端はカンチレバー式で設置され、且つ凸部を有する接触部を有することを特徴とする請求項８に記載のコネクタの構造。
【請求項１０】
前記絶縁ハウジングは本体及びネック部を有し、前記本体及びネック部には端子収納溝がそれぞれ設けられて複数端子の装設に用いられることを特徴とする請求項１に記載のコネクタの構造。
【考案の詳細な説明】
【技術分野】
【０００１】
本考案は、コネクタの構造に関し、更に詳しくは、回路基板に電気信号が接続され、且つ接触方式によりバットコネクタに導通され、装設の自動化への応用に適するコネクタの構造に関する。
【背景技術】
【０００２】
コネクタの機能は主に電気信号の伝送に使用され、その構造は主に絶縁ハウジング及び前記絶縁ハウジングに装設される複数端子を備え、伝送機能、装設形態、または接続形式の違いにより、コネクタに装設される端子の設計が変わる。接続形式は、相互挿着形式や相互接触形式の２種類に分類される。相互挿着形式の端子は、主に挿脱寿命を考慮して設計されおり、このような端子は製品に応用される場合に端子自体の形状及び接続形態により制限されてしまい、薄型化の要求及び装設の自動化には向かなかった。これに対して、相互接触形式の端子は、主に溝形状の組み合わせを考慮した形態に設計され、このような端子が製品に応用されると、その一端が回路基板に電気信号が接続されるようになっており、他端がバットコネクタに接触させるようになっている。このため、このような端子は溝形状及び接触形態であるがゆえに、薄型化の要求及び装設の自動化に適する。
【０００３】
従来のパソコンのマザーボードには放熱ファンが設置され、前記放熱ファンの電力は前記マザーボードの電源から供給され、その間の電源の供給は相互挿着形式のコネクタにより電気信号が接続されることにより達成される。より詳しくは、前記放熱ファンの回転軸には電源コードが接続され、且つ前記電源コードには第一コネクタが接続され、パソコンのマザーボードには同様に前記第一コネクタに接続される第二コネクタが電源コードに接続される。これにより、第一コネクタ及び第二コネクタが接続された後にマザーボードの電源及び信号が前記放熱ファンに送られる。
【考案の概要】
【考案が解決しようとする課題】
【０００４】
しかしながら、前述した従来のコネクタの構造は、即ち、製造が自動化される趨勢の中で、従来の電源コードがコネクタに接続された後に電気信号が接続される形式であるため、製品の自動化には応用できない。そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものであり、その目的は、コネクタの構造を提供することにある。すなわち、製品に応用された際に装設の自動化効果を達成可能なコネクタの構造を提供し、前記コネクタの端子は溶接端同士の間の小さい間隔により、マザーボード上の既定の位置に電気信号を接触させ、接触端同士の間の大きい間隔により自動装設過程においてバット接続子との間では公差が大きい電気信号を接触させ、これにより応用される製品の装設自動化効果を達成させる。
【課題を解決するための手段】
【０００６】
上述した課題を解決し、目的を達成するために、本考案に係るコネクタの構造は、回路基板に電気信号が接続され、前記コネクタは、絶縁ハウジングと、前記絶縁ハウジングに装設される複数端子であって、各端子は一体に湾曲される溶接端と、接触端と、前記溶接端と接触端とを接続する接続端とを備え、これらの前記端子の溶接端は前記回路基板上の既定の電気信号伝送位置に接続され、前記接続端は異なる方向の複数の湾曲を有し、これらの前記接触端同士の間の間隔はこれらの前記溶接端同士の間の間隔より大きく形成され、これにより溶接端は小さい間隔で回路基板に電気信号が接続され、接触端は大きい間隔でバット接続子に電気信号が接触されることによりコネクタが応用される製品の自動装設の効果が達成されることを特徴とする。
【０００７】
また、本考案の他の特徴は、これらの前記溶接端同士の間の間隔は等間隔か不等間隔である。これらの前記接触端同士の間の間隔は等間隔か不等間隔である。
【０００８】
なお、本考案のさらなる他の特徴は、前記溶接端と接触端とを接続するる接続端は、少なくとも前記接触端まで湾曲されると端子線の幅の面積が広い一側に呈することにより、バット接続子と接触しやすくなる。
【図面の簡単な説明】
【０００９】
【図１】本考案に係るコネクタの構造を示す分解図である。
【図２】図１に示す構造を取り付けた状態の図である。
【図３Ａ】図２に示す構造の正面図である。
【図３Ｂ】図２に示す構造の底面図である。
【図３Ｃ】図２に示す構造の側面図である。
【図４Ａ】本考案のコネクタがコンピュータのマザーボードに装設されるファンに応用される実施形態図である。
【図４Ｂ】本考案のコネクタがコンピュータのマザーボードに装設されるファンに応用される実施形態図である。
【図５Ａ】本考案のコネクタがラップトップコンピュータのマザーボードに装設されるキーボードに応用される実施形態図である。
【図５Ｂ】本考案のコネクタがラップトップコンピュータのマザーボードに装設されるキーボードに応用される実施形態図である。
【考案を実施するための形態】
【００１０】
以下、図面を参照して本発明に係るスクライブヘッド及びスクライブ装置の実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１１】
以下、本考案の具体的な実施形態について添付図面に基づき説明する。ここでは、図１は本考案に係るコネクタの構造を説明する分解図であり、図２は図１に示す構造を取り付けた状態の図であり、図３Ａ乃至図３Ｃは図２に示す構造の正面図、底面図および側面図をそれぞれ示す。
【００１２】
本考案のコネクタ１は、絶縁ハウジング２及び複数端子３を備える。前記絶縁ハウジング２は本体２０及びネック部２１を有し、前記本体２０及びネック部２１には複数端子３の装設に用いられる端子収納溝２０１、２１１がそれぞれ設けられる。
【００１３】
前記複数端子３は、本実施形態では４本設置され、各端子３は一体に湾曲される溶接端３０と、接触端３１と、前記溶接端３０と接触端３１とを接続する接続端３２とを有する。前記溶接端３０は端子線の幅の面積が狭い一側ｍ１が水平に沿って延伸されると共に等間隔で平行に並列され、前述の絶縁ハウジング２に装設された後に前記溶接端３０の表面が前記端子収納溝２１１に露出され（図３Ｃ参照）、パソコンの回路基板上の既定の電気信号伝送位置に接続される。前記接続端３２は一体に前記溶接端３０から延伸され、且つ異なる方向に湾曲された後、端子線の幅の面積が広い一側ｍ２が異なる方向に複数回湾曲されることによりカンチレバー式接触端３１が形成され、且つ前記接触端３１には凸部３１１が設けられ、前述の絶縁ハウジング２に装設された後に前記接触端３１の凸部３１１が前記端子収納溝２０１から突出され（図３Ｃ参照）、バット接続子と接触しやすくなる。なお、図３Ａに示すように、これら前記接触端３１の間の間隔Ｔ１は前記接続端３２が異なる方向に複数回湾曲された後にこれらの前記溶接端３０同士の間の間隔Ｔ２より大きい形態として形成され、これにより溶接端３０が小さい間隔で回路基板に電気信号が接続され、接触端３１は大きい間隔でバット接続子に電気信号を接触させ、コネクタが応用される製品の自動装設の効果を達成させる。なお、本考案に係るコネクタのこれらの前記溶接端同士の間の間隔は、電気信号が接続される回路基板の設計の違い、及び最終製品のバットコネクタの設計の違いにより、等間隔で設置されるか（上述の実施形態と同様）、不等間隔で設置される。
【００１４】
図４Ａ、図４Ｂは本考案に係るコネクタがパソコンのマザーボードに装設されるファンに応用される実施形態を図示し、図３Ａを参照すると、本考案に係るコネクタ１はこれらの前記溶接端３０同士の間の間隔Ｔ２により回路基板５上の既定の電気信号伝送位置に固装され（図４Ａ参照）、この際に前記コネクタ１のこれらの前記接触端３１の凸部３１１が露出され、ファン６のバットコネクタ６０が自動化機器により操作されて、前記ファン６が前記回路基板５に直接固装されると共にこれらの前記接触端３１の凸部３１１に電気信号が接触される（図４Ｂ参照）。本考案の他の応用例は、例えば図５Ａ、図５Ｂに示すように、ラップトップパソコンのマザーボードに装設されるキーボードに応用するために、図３Ａを参照すると、本考案に係るコネクタ１はこれらの前記溶接端３０同士の間の間隔Ｔ２によりラップトップパソコンのマザーボード７上の既定の電気信号伝送位置に固装され（図５Ａ参照）、この際前記コネクタ１のこれらの前記接触端３１の凸部３１１が露出され、キーボード８のバットコネクタ８０が自動化機器により操作され、前記キーボード８が前記ラップトップパソコンのマザーボード７に直接固装されると共にこれらの前記接触端３１の凸部３１１に電気信号が接触される（図５Ｂ参照）。これにより、本考案の前記コネクタ１の端子３はこれらの前記溶接端３０の間の小さい間隔により、マザーボード上の既定の位置に電気信号を接触させ、これらの前記接触端３１の間の大きい間隔により自動装設過程においてバット接続子の間では大きな公差の電気信号が接触され、応用される製品の装設自動化の効果を達成させる。
【００１５】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００１６】
１  コネクタ
２  絶縁ハウジング
３  複数端子
２０  本体
２０１  端子収納溝
２１  ネック部
２１１  端子収納溝
３０  溶接端
３１  接触端
３２  接続端
３１１  凸部
Ｔ１  接触端の間隔
Ｔ２  溶接端の間隔
ｍ１  端子線の幅の面積が狭い一側
ｍ２  端子線の幅の面積が広い一側
【図１】
0003210694.tif 000003
【図２】
0003210694.tif 000004
【図３Ａ】
0003210694.tif 000005
【図３Ｂ】
0003210694.tif 000006
【図３Ｃ】
0003210694.tif 000007
【図４Ａ】
0003210694.tif 000008
【図４Ｂ】
0003210694.tif 000009
【図５Ａ】
0003210694.tif 000010
【図５Ｂ】
0003210694.tif 000011